(57)【要約】【課題】  不使用時に視覚的な圧迫感を使用者に与えたりすることや洗い場を狭くすることがなく、しかも、使用者にとっての使い勝手を良くすることができるカウンター構造を提供することにある。【解決手段】  浴室の壁面部（１）にカウンター本体（２）が取り付けられてなるカウンター構造であって、上記カウンター本体（２）が上記壁面部（１）に対して着脱自在なものであり、同カウンター本体（２）の表裏のうち、一面を洗面器などを置いて使用するカウンター部（３）となし、同カウンター本体（２）の表裏のうち、他のもう一面に凹部（４）を設けて洗面ボールとして使用するボール部（５）となした。【選択図】  図１
2005066012.tif 000002
【特許請求の範囲】
【請求項１】
浴室の壁面部にカウンター本体が取り付けられてなるカウンター構造であって、上記カウンター本体が上記壁面部に対して着脱自在なものであり、同カウンター本体の表裏のうち、一面を洗面器などを置いて使用するカウンター部となし、同カウンター本体の表裏のうち、他のもう一面に凹部を設けて洗面ボールとして使用するボール部となしたことを特徴とするカウンター構造。
【請求項２】
上記カウンター本体の後面側端部に引っ掛け部を形成して、この引っ掛け部が上記浴室の壁面部に引っ掛けられることで同壁面部に同カウンター本体が取り付けられるようになしたことを特徴とする請求項１記載のカウンター構造。
【請求項３】
上記浴室の壁面部にカランを設けておき、上記カウンター本体を洗面ボールとして使用するボール部となした際に、このカランから吐水された湯水を同ボール部で受けるようになしたことを特徴とする請求項１または請求項２記載のカウンター構造。
【発明の詳細な説明】
【技術分野】
【０００１】
本発明は、カウンター構造に関し、具体的には、着脱自在に形成され、浴室で使用されるのに有用なカウンター構造に関するものである。
【背景技術】
【０００２】
従来のカウンター構造としては、例えば、下記の特許文献１として示した特開平８−８４６８３号のようなものが知られていた。具体的には、図６に示すごとく、使用者が洗顔などを行いたい場合、浴室の洗い場部（１０１）に設置される洗面器（１０５）をカウンター本体部（１０３）に載置して使用することが可能なカウンター構造であって、上記カウンター本体部（１０３）としては幅広の洗面器載置部（１０３ａ）が浴室の壁面部分（１０６）などから洗い場部（１０１）に張り出し状にして一体に固定されていたものであった。また、幅広の洗面器載置部（１０３ａ）上には、洗面器（１０５）に吐水するために、吐水口（１０４）が固定されていたものであった。
【特許文献１】特開平８−８４６８３号公報
【発明の開示】
【発明が解決しようとする課題】
【０００３】
しかしながら、従来の幅広の洗面器載置部（１０３ａ）が壁面部分（１０６）などから洗い場部（１０１）に張り出し状にして一体に固定されていたカウンター構造では、洗い場部（１０１）の狭い浴室の場合、さらに洗い場部（１０１）を狭くし、洗い場部（１０１）での動作を阻害したり、使用者にとっては視覚的にも圧迫感を覚えさせていたものであった。
【０００４】
また、使用者がシャワーのみで入浴を済ませる場合、洗面器（１０５）を使用しないと幅広の洗面器載置部（１０３ａ）は役に立たないばかりでなく、使用者が身体をぶつけてしまったりする問題もあった。
【０００５】
しかも、幅広の洗面器載置部（１０３ａ）上に洗面器（１０５）に吐水するための吐水口（１０４）が固定されているものは、掃除などの時にバケツに水をはりたい場合に、バケツへの吐水を著しく困難なものにしており、使用者にとっては使い勝手が非常に悪いものであった。
【０００６】
本発明は、上述の事実に鑑みてなされたものであって、その目的とするところは、不使用時に視覚的な圧迫感を使用者に与えたりすることや洗い場を狭くすることがなく、しかも、使用者にとっての使い勝手を良くすることができるカウンター構造を提供することにある。
【課題を解決するための手段】
【０００７】
上記課題を解決するために、本発明においてはつぎのような技術的手段を講じている。
【０００８】
すなわち、本発明の請求項１に係るカウンター構造は、浴室の壁面部（１）にカウンター本体（２）が取り付けられてなるカウンター構造であって、上記カウンター本体（２）が上記壁面部（１）に対して着脱自在なものであり、同カウンター本体（２）の表裏のうち、一面を洗面器などを置いて使用するカウンター部（３）となし、同カウンター本体（２）の表裏のうち、他のもう一面に凹部（４）を設けて洗面ボールとして使用するボール部（５）となしたことを特徴とする。
【０００９】
本発明の請求項２に係るカウンター構造は、上記カウンター本体（２）の後面側端部に引っ掛け部（６）を形成して、この引っ掛け部（６）が上記浴室の壁面部（１）に引っ掛けられることで同壁面部（１）に同カウンター本体（２）が取り付けられるようになしたことを特徴とする。
【００１０】
本発明の請求項３に係るカウンター構造は、上記浴室の壁面部（１）にカラン（７）を設けておき、上記カウンター本体（２）を洗面ボールとして使用するボール部（５）となした際に、このカラン（７）から吐水された湯水を同ボール部（５）で受けるようになしたことを特徴とする。
【発明の効果】
【００１１】
本発明のカウンター構造によると、カウンター部（３）を上側にしてカウンター本体（２）が取り付けられれば、使用者がカウンター部（３）に洗面器や石鹸、シャンプーなどを置いて使用することができるとともに、ボール部（５）を上側にしてカウンター本体（２）が取り付けられれば、使用者はボール部（５）に湯水を溜められ、このボール部（５）を洗面器や洗面ボールとして使用することができるものであり、結果として、使用者にとっての使い勝手を良くすることができるものである。なお、ボール部（５）に溜められた湯水が不用になれば、カウンター本体（２）を外しながら、同カウンター本体（２）の表裏を逆転させるだけで簡単に排出させられるものである。そして、このボール部（５）が存在することにより、浴室内には別途洗面器を設置する必要がなく、その結果、洗面器の収納場所を確保する必要もなくなるものである。
【００１２】
また、使用者がシャワーのみで入浴を済ませるような場合、カウンター本体（２）を使用する必要がないときは、取り外して別の場所などに保管することにより、洗い場（１０）を広く使うことができて、その結果、このような点でも使用者にとっての使い勝手を良くすることができるものである。また、このようにカウンター本体（２）を取り外すことで、同カウンター本体（２）の不使用時に視覚的な圧迫感を使用者に与えたりすることは全くなくなるものである。
【００１３】
以上のことから、本発明のカウンター構造は、不使用時に視覚的な圧迫感を使用者に与えたりすることや洗い場（１０）を狭くすることがなく、しかも、使用者にとっての使い勝手を良くすることができるものである。
【発明を実施するための最良の形態】
【００１４】
以下、この発明を実施するための最良の形態について、図面を参照しながら詳細に説明する。
【００１５】
図１の（ａ）は、本発明の一実施形態に係るカウンター構造において、カウンター部を上側にしてカウンター本体を取り付けた様子を示した概略図であり、図１の（ｂ）は、本発明の一実施形態に係るカウンター構造において、ボール部を上側にしてカウンター本体を取り付けた様子を示した概略図である。図２は、本発明の一実施形態に係るカウンター構造を示した分解斜視図である。図３は、本発明のカウンター構造に用いられる一実施形態に係るカウンター本体を示した側面図である。図４は、本発明のカウンター構造に用いられる一実施形態に係るカウンター本体を示した上面図である。図５は、本発明のカウンター構造に用いられる一実施形態に係るカウンター本体を示した下面図である。
【００１６】
本発明のカウンター構造は、図１ないし図５に示すごとく、浴室の壁面部（１）にカウンター本体（２）が取り付けられてなるカウンター構造であって、上記カウンター本体（２）が上記壁面部（１）に対して着脱自在なものであり、同カウンター本体（２）の表裏のうち、一面を洗面器などを置いて使用するカウンター部（３）となし、同カウンター本体（２）の表裏のうち、他のもう一面に凹部（４）を設けて洗面ボールとして使用するボール部（５）となしているものである。
【００１７】
上記カウンター本体（２）は、図１の（ａ）、（ｂ）および図２に示すごとく、浴室の壁面部（１）に取り付けられるものである。このカウンター本体（２）としては、通常、カウンターとして使用されるものと同材質のものでかまわないものであるが、カウンターとしての強度を維持することができるものであれば、特に制限されるものではないものである。一例を挙げると、カウンター本体（２）としては、ＡＢＳやアクリルなどの樹脂製のものやステンレスなどの金属製のものが採用されるものである。また、このカウンター本体（２）の材質を上記壁面部（１）と同様の材質のものに揃えると、周囲の外観に違和感なく用いられる点で好ましいものである。
【００１８】
また、上記カウンター本体（２）は、図１の（ａ）、（ｂ）および図２に示すごとく、上記壁面部（１）に対して着脱自在なものである。具体的には、同図に示したように、このカウンター本体（２）は、その後面側端部に引っ掛け部（６）を形成しており、この引っ掛け部（６）が上記浴室の壁面部（１）の一部に設けられた突出片（９）に引っ掛けられることで同壁面部（１）に同カウンター本体（２）が取り付けられるようになしているものである。このように形成していることでカウンター本体（２）は、壁面部（１）に対して自由自在に着脱することができるものである。
【００１９】
特に、使用者がシャワーのみで入浴を済ませるような場合、上記カウンター本体（２）を使用する必要がないときは、取り外して別の場所などに保管することにより、洗い場（１０）を広く使うことができて、その結果、使用者にとっての使い勝手を良くすることができるものである。また、このようにカウンター本体（２）を取り外すことで、同カウンター本体（２）の不使用時に視覚的な圧迫感を使用者に与えたりすることは全くなくなるものである。
【００２０】
そして、図１の（ａ）、図２ないし図４に示すごとく、上記カウンター本体（２）の表裏のうち、一面を洗面器などを置いて使用するカウンター部（３）となしているものである。すなわち、このカウンター部（３）を上側にしてカウンター本体（２）が取り付けられれば、使用者がカウンター部（３）に洗面器や石鹸、シャンプーなどを置いて使用することができるものである。
【００２１】
また、本発明においては、図１の（ｂ）および図５に示すごとく、上記カウンター本体（２）の表裏のうち、他のもう一面に凹部（４）を設けて洗面ボールとして使用するボール部（５）となしているものである。すなわち、この凹部（４）、つまり、ボール部（５）を上側にしてカウンター本体（２）が取り付けられれば、使用者はボール部（５）に湯水を溜められ、このボール部（５）を洗面器や洗面ボールとして使用することができるものである。なお、ボール部（５）に溜められた湯水が不用になれば、上記カウンター本体（２）を外しながら、同カウンター本体（２）の表裏を逆転させるだけで簡単に排出させられるものである。ところで、このボール部（５）が存在することにより、浴室内には別途洗面器を設置する必要がなく、その結果、洗面器の収納場所を確保する必要もなくなるものである。
【００２２】
特に、図１の（ｂ）および図５に示すごとく、上記浴室の壁面部（１）にカラン（７）を設けておき、上記カウンター本体（２）を洗面ボールとして使用するボール部（５）となした際に、このカラン（７）から吐水された湯水を同ボール部（５）で受けるようになしていると、カラン（７）から吐水された湯水が容易にボール部（５）に溜められるものであり、使用者にとっての使い勝手が飛躍的に向上するものである。
【００２３】
また、掃除などの時にバケツに水をはりたい場合には、上記カウンター本体（２）を取り外して、バケツを上記カラン（７）の真下あたりに置けば、同カラン（７）からバケツへ吐水させることができて、従来のようにカウンター本体（２）が邪魔になってバケツへの吐水が困難であった問題を確実に解消できて、その結果、使用者にとっての使い勝手はこの点でも飛躍的に向上するものである。
【００２４】
なお、上記カラン（７）は、図１の（ａ）、（ｂ）および図２に示すごとく、浴室の壁面部（１）に水平で平らな水平部分面（８）を形成しておき、この水平部分面（８）に設けるようにすれば良いものである。
【図面の簡単な説明】
【００２５】
【図１】（ａ）は、本発明の一実施形態に係るカウンター構造において、カウンター部を上側にしてカウンター本体を取り付けた様子を示した概略図であり、（ｂ）は、本発明の一実施形態に係るカウンター構造において、ボール部を上側にしてカウンター本体を取り付けた様子を示した概略図である。
【図２】本発明の一実施形態に係るカウンター構造を示した分解斜視図である。
【図３】本発明のカウンター構造に用いられる一実施形態に係るカウンター本体を示した側面図である。
【図４】本発明のカウンター構造に用いられる一実施形態に係るカウンター本体を示した上面図である。
【図５】本発明のカウンター構造に用いられる一実施形態に係るカウンター本体を示した下面図である。
【図６】一従来例に係るカウンター構造を示した斜視図である。
【符号の説明】
【００２６】
１    壁面部
２    カウンター本体
３    カウンター部
４    凹部
５    ボール部
６    引っ掛け部
７    カラン
【図１】
2005066012.tif 000003
【図２】
2005066012.tif 000004
【図３】
2005066012.tif 000005
【図４】
2005066012.tif 000006
【図５】
2005066012.tif 000007
【図６】
2005066012.tif 000008